(57)【要約】  本発明は、ケーブルの外側導体に対して電気的且つ機械的に接続されるように設計され、プラグインコネクタ用の電磁スクリーンを形成する外側導体部と、少なくとも１つの内側導体部を外側導体部に対して既定の位置に保持するように設計された絶縁部と、外側導体部及び絶縁部が配置されるハウジングと、を有するプラグインコネクタに関する。本発明によれば、回転動作しないようにするためにハウジングに接続されるとともに、絶縁部とハウジングとが互いに回転動作しないようにするために接続されるように、外側導体部を通じて、且つ絶縁部に嵌合する回転防止ロックが設けられる。
2013539154.tif 000002
【特許請求の範囲】
【請求項１】
ケーブルの外側導体に電気的且つ機械的に接続されるように設計され、プラグインコネクタ用の電磁スクリーンを形成する外側導体部（１２）と、少なくとも１つの内側導体部を前記外側導体部（１２）に対して既定の位置に保持するように設計された絶縁部（１４）と、前記外側導体部（１２）及び前記絶縁部（１４）が配置されるハウジング（１０）と、を有するプラグインコネクタにおいて、
回転動作しないようにするために前記ハウジング（１０）に接続されるとともに、前記絶縁部（１４）と前記ハウジング（１０）とが互いに回転動作しないようにするために接続されるように、前記外側導体部（１２）を通じて、且つ前記絶縁部（１４）に嵌合する回転防止ロック（２０）が設けられることを特徴とするプラグインコネクタ。
【請求項２】
請求項１に記載のプラグインコネクタにおいて、
前記回転防止ロック（２０）は、前記外側導体部（１２）の外周に亘って嵌合するとともに、半径方向の内側に突出し、前記外側導体部（１２）を通じて前記絶縁部（１４）に嵌合するピン（２４）を有するリング形状、特にＣリング形状からなることを特徴とするプラグインコネクタ。
【請求項３】
請求項２に記載のプラグインコネクタにおいて、
前記ピン（２４）は、前記外側導体部（１２）のアパーチャ（２４）を通じて嵌合することで、前記外側導体部（１２）に対する、前記リング（２０）のいかなる回転動作も防止されるように設計されることを特徴とするプラグインコネクタ。
【請求項４】
請求項２又は請求項３に記載のプラグインコネクタにおいて、
前記ピン（２４）は、前記絶縁部（１４）の凹部（２８）に嵌合することで、前記リング（２０）に対する、前記絶縁部（１４）のいかなる回転動作も防止されるように設計されることを特徴とするプラグインコネクタ。
【請求項５】
請求項２から請求項４のいずれか１項に記載のプラグインコネクタにおいて、
前記リング（２０）は、弾性材料から形成されることを特徴とするプラグインコネクタ。
【請求項６】
請求項２から請求項５のいずれか1項に記載のプラグインコネクタにおいて、
前記外側導体部（１２）の前記外周面に、前記リング（２０）が配置される、周方向にループ状に延在する溝（２２）が形成されることを特徴とするプラグインコネクタ。
【請求項７】
請求項１から請求項６のいずれか１項に記載のプラグインコネクタにおいて、
前記回転防止ロック（２０）は、前記ハウジング（１０）ととともに一片として形成されることを特徴とするプラグインコネクタ。
【請求項８】
請求項１から請求項７のいずれか１項に記載のプラグインコネクタにおいて、
ケーブル、特にＲＦケーブル又はパワーケーブルの内側導体に電気的且つ機械的に接続されるように設計された、少なくとも１つの内側導体部が設けられることを特徴とするプラグインコネクタ。
【発明の詳細な説明】
【技術分野】
【０００１】
本発明は、請求項１の前文に規定されるように、ケーブルの外側導体に電気的且つ機械的に接続されるように設計され、プラグインコネクタ用の電磁スクリーンを形成する外側導体部と、少なくとも１つの内側導体部を外側導体部に対して既定の位置に保持するように設計された絶縁部と、外側導体部及び絶縁部が配置されるハウジングと、を有するプラグインコネクタに関する。
【発明の概要】
【発明が解決しようとする課題】
【０００２】
本発明の目的は、上述の種類のプラグインコネクタを、組立及び信頼性の高い動作の点で改善することである。
【課題を解決するための手段】
【０００３】
本発明によれば、この目的は、請求項１に述べられる特徴を有する上述の種類のプラグインコネクタにより実現される。本発明の有利な実施形態については、その他の請求項に記述される。
【０００４】
本発明によれば、上述の種類のプラグインコネクタには、回転防止ロックが設けられており、この回転防止ロックは、回転動作しないようにするためにハウジングに接続されるとともに、絶縁部とハウジングとが互いに回転動作しないようにするために接続されるように、外側導体部を通じて、且つ絶縁部に嵌合している。
【０００５】
これは、絶縁部の回転防止ロック機能に関する限り、外側導体部がバイパスされているため、プラグインコネクタ内における絶縁部の回転防止ロック機能に関して、公差の連鎖が短縮されるという利点を有する。
【０００６】
外側導体部の外周に亘って嵌合するとともに、半径方向の内側に突出し、外側導体部を通じて絶縁部に嵌合するピンを有するリング形状、特にＣリング形状からなる回転防止ロックとすることにより、特に動作における信頼性が高く、且つ特に嵌合が容易である回転防止ロックが確立される。
【０００７】
外側導体部のアパーチャを通じてピンを嵌合することで、外側導体部に対する、リングのいかなる回転動作も防止されるように設計されることにより、リングと外側導体部の間に、特に信頼性の高い機械的接続が確立される。
【０００８】
絶縁部の凹部にピンを嵌合することで、リングに対する、絶縁部のいかなる回転動作も防止されるように設計されることにより、リングと内側導体部の間に、特に信頼性の高い機械的接続が確立される。
【０００９】
リングを弾性材料から形成することにより、ハウジングに対する回転防止ロックの容易な嵌合及び取外しが実現される。
【００１０】
リングが配置される周方向にループ状に延在する溝を外側導体部の外周面に形成することにより、ハウジングに対するリングの更なる軸方向のロック機能が実現される。
【００１１】
ハウジングとともに回転防止ロックを一片として形成することにより、ハウジングが嵌合したときの回転防止ロックの自動的な嵌合が実現される。
【００１２】
ケーブル、特にＲＦケーブル又はパワーケーブルの内側導体に対して電気的且つ機械的に接続されるように設計された少なくとも１つの内側導体部を設けることにより、１つ又は複数の内側導体を有するケーブル用のプラグインコネクタが容易に確立される。
【図面の簡単な説明】
【００１３】
【図１】本発明によるプラグインコネクタの好適な実施形態の長手方向の断面である。
【図２】Ｃリング形状の回転防止ロックの好適な実施形態の斜視図である。
【発明を実施するための形態】
【００１４】
以下、添付図面を参照し、本発明について詳細に説明する。
【００１５】
図１に示される本発明によるプラグインコネクタの好適な実施形態は、ハウジング１０と、ハウジング１０の内部に半径方向に配置された外側導体部１２と、外側導体部の内部に半径方向に配置された絶縁部１４と、を有する。ハウジング１０、外側導体部１２及び絶縁部１４は、相互に同軸状に配置される。このプラグインコネクタは、相補型コネクタ（不図示）に対する挿入による接続のための挿入端部１６と、電磁スクリーンを形成する外側導体及び少なくとも１つの内側導体を有するケーブル（不図示）に対する電気的且つ機械的な接続のためのケーブル端部１８と、を有する。外側導体部１２は、ケーブルの外側導体（不図示）に対して電気的且つ機械的に接続されるように設計されている。少なくとも１つの内側導体部（不図示）を受け入れるために、絶縁部１４は、１つ又は複数の内側導体部を外側導体部１２の内部にて既定の位置に保持し、この１つ又は複数の内側導体部を外側導体部１２から電気的に絶縁するように設計される。絶縁部１４は、例えば、誘電材料から製造されており、その幾何学的な寸法及び誘電材料は、プラグインコネクタが既定のインピーダンスを有するように選択される。この結果、本発明によるプラグインコネクタは、ＲＦ信号の伝送に使用することもできる。
【００１６】
ハウジング１０と外側導体部１２の間には、Ｃリング形状からなる回転防止ロック２０が配置され、このＣリング２０は、ハウジング１０の長手軸に対して垂直平面に実質的に平行に調整される。回転防止ロック２０は、円弧形状、又は、言い換えれば、１カ所に破断を有するリングである。回転防止ロック２０は、例えば、弾性材料から形成されており、従って、Ｃリング２０は、半径方向を内向きに又は外向きに曲がることが可能であり、また、弾性力が作用することで、その初期位置に自動的に復帰することができる。この結果、Ｃリング２０は、外側導体部１２の製造の後に、外側導体部１２の外側に嵌合させることができる。この目的のために、例えばＣリング２０を半径方向に拡張させ、例えばＣリング２０を受け入れるための溝２２が形成される外側導体部１２の外周面上の既定の地点に到達するまで、外側導体部１２に沿って軸方向に移動させる。この地点において、Ｃリング２０の応力を再度解放すれば、リング２０は、結果的に、外側導体部１２の外周面の溝２２の内部で、初期位置となる。回転防止ロック２０は、ハウジング１０の内部で回転動作しないようにするために絶縁部１４を固定するべく機能するが、これは、図２を参照して詳細に後述するように、回転防止ロック２０から半径方向の内側に突出するピン２４によって実現される。
【００１７】
図２は、ピン２４を有するＣリング形状の回転防止ロック２０を示している。ピン２４の領域において、Ｃリングは、ハウジング１０の内周面の対応した凹部に嵌合する直方体形の幅広部３２を有する。この結果、Ｃリング２０は、ハウジング１０と共に確実に回転するように、ハウジング１０に機械的に接続される。図１からもわかるように、ハウジング１０の内周面の凹部は、軸方向に延在する溝３０の形状からなり、この溝の周方向における幅は、Ｃリング２０の直方体形成部が溝に嵌合するが、Ｃリング２０上の直方体形成部が溝３０の内側壁に当接する結果として、Ｃリング２０がハウジング１０に対して、回転動作することを防止するように、選択される。
【００１８】
図１からもわかるように、ピン２４は、外側導体部１２の貫通開口部２６を通じて絶縁部１４の溝２８に嵌合しており、従って、Ｃリング２０は、回転動作しないようにするために、絶縁部１４に対して接続されている。これにより、絶縁部１４は、回転動作しないようにするためにハウジング１０に接続されることになり、外側導体部１２は、互いに回転動作しないようにするためのハウジング１０と絶縁部１４との接続の実現において、なんらの機能をも果たしていない。言い換えれば、外側導体部１２は、もはや、ハウジング１０における絶縁部１４の回転防止ロック機能のための公差の連鎖の一部ではない。
【００１９】
回転防止ロック２０は、絶縁部１４において保持される内側導体部のハウジング１０に対して既定の向きを保証している。この結果、本発明によるプラグインコネクタが相補型コネクタに挿入された際に、本発明によるプラグインコネクタの所与の内側導体部が、相補型コネクタの所与の望ましい内側導体部との電気的且つ機械的な接触を実現することが保証されている。言い換えれば、本発明によるプラグインコネクタ内における内側導体部の構成が相補型コネクタにおける内側導体部の構成に対応することになる。
【図１】
2013539154.tif 000003
【図２】
2013539154.tif 000004
【手続補正書】
【提出日】平成24年1月9日(2012.1.9)
【手続補正１】
【補正対象書類名】特許請求の範囲
【補正対象項目名】全文
【補正方法】変更
【補正の内容】
【特許請求の範囲】
【請求項１】
ケーブルの外側導体に電気的且つ機械的に接続されるように設計され、プラグインコネクタ用の電磁スクリーンを形成する外側導体部（１２）と、少なくとも１つの内側導体部を前記外側導体部（１２）に対して既定の位置に保持するように設計された絶縁部（１４）と、を有するプラグインコネクタにおいて、
前記外側導体部（１２）及び前記絶縁部（１４）が配置されるハウジング（１０）が設けられ、
回転動作しないようにするために前記ハウジング（１０）に接続されるとともに、前記絶縁部（１４）と前記ハウジング（１０）とが互いに回転動作しないようにするために接続されるように、前記外側導体部（１２）を通じて、且つ前記絶縁部（１４）に嵌合する回転防止ロック（２０）が設けられることを特徴とするプラグインコネクタ。
【請求項２】
請求項１に記載のプラグインコネクタにおいて、
前記回転防止ロック（２０）は、前記外側導体部（１２）の外周に亘って嵌合するとともに、半径方向の内側に突出し、前記外側導体部（１２）を通じて前記絶縁部（１４）に嵌合するピン（２４）を有するリング形状、特にＣリング形状からなることを特徴とするプラグインコネクタ。
【請求項３】
請求項２に記載のプラグインコネクタにおいて、
前記ピン（２４）は、前記外側導体部（１２）のアパーチャ（２４）を通じて嵌合することで、前記外側導体部（１２）に対する、前記リング（２０）のいかなる回転動作も防止されるように設計されることを特徴とするプラグインコネクタ。
【請求項４】
請求項２又は請求項３に記載のプラグインコネクタにおいて、
前記ピン（２４）は、前記絶縁部（１４）の凹部（２８）に嵌合することで、前記リング（２０）に対する、前記絶縁部（１４）のいかなる回転動作も防止されるように設計されることを特徴とするプラグインコネクタ。
【請求項５】
請求項２から請求項４のいずれか１項に記載のプラグインコネクタにおいて、
前記リング（２０）は、弾性材料から形成されることを特徴とするプラグインコネクタ。
【請求項６】
請求項２から請求項５のいずれか1項に記載のプラグインコネクタにおいて、
前記外側導体部（１２）の前記外周面に、前記リング（２０）が配置される、周方向にループ状に延在する溝（２２）が形成されることを特徴とするプラグインコネクタ。
【請求項７】
請求項１から請求項６のいずれか１項に記載のプラグインコネクタにおいて、
前記回転防止ロック（２０）は、前記ハウジング（１０）ととともに一片として形成されることを特徴とするプラグインコネクタ。
【請求項８】
請求項１から請求項７のいずれか１項に記載のプラグインコネクタにおいて、
ケーブル、特にＲＦケーブル又はパワーケーブルの内側導体に電気的且つ機械的に接続されるように設計された、少なくとも１つの内側導体部が設けられることを特徴とするプラグインコネクタ。
【手続補正２】
【補正対象書類名】明細書
【補正対象項目名】全文
【補正方法】変更
【補正の内容】
【発明の詳細な説明】
【技術分野】
【０００１】
本発明は、請求項１の前文に規定されるように、ケーブルの外側導体に電気的且つ機械的に接続されるように設計され、プラグインコネクタ用の電磁スクリーンを形成する外側導体部と、少なくとも１つの内側導体部を外側導体部に対して既定の位置に保持するように設計された絶縁部と、を有するプラグインコネクタに関する。
【背景技術】
【０００２】
特許文献１は、回転しないように固定された接点を有するミニプラグインコネクタを開示している。このコネクタは、外側導体部と、絶縁部と、電気接点と、を有する。外側導体部は、同軸ケーブルに対して電気的且つ機械的に接続されるように設計されており、且つ、その内部表面にリブを有する。外側導体部の内径は、絶縁部の外径をわずかに上回っており、４つのリブが、外側導体部の内部表面から半径方向を内側に突出している。これらの４つのリブは、内側導体部との間における圧力ばめであり、この結果、絶縁部が外側導体部に対して回転することが防止される。
【０００３】
特許文献２は、回路基板上にはんだ付けされるハウジングを有するＢＮＣプラグインアングルコネクタを開示しており、このハウジングには、外側導体部が配置されている。外側導体部には、内側導体を保持する絶縁部又は絶縁体が配置されている。外側導体部は、外側導体部の直径が低減された端部に形成された周方向のスロットを有する。この周方向のスリット内には、正反対に位置した突出部が形成されている。一対のアパーチャを有するＣ形状のスプリング金属帯が周方向のスロットに挿入されており、且つ、この結果、スロットがスプリング金属帯の軸方向の動きを防止している。スプリング金属帯のアパーチャは、外側導体部の突出部を受け入れることにより、スプリング金属帯をスロット内において固定し、且つ、スロット内における回転防止機能を実現している。この結果、外側導体部に対するスプリング金属帯のための回転防止ロック機能が生成されている。又、外側導体部の平坦な表面とハウジングの対応する平坦な内部表面の間の協働により、ハウジングに対する外側導体部のための回転防止ロック機能も提供されている。但し、絶縁部のための回転防止ロック機能は提供されていない。
【０００４】
特許文献３は、プラスチックハウジング及びブッシュを有するオスコネクタを有するプラグインコネクタアッセンブリを開示している。プラスチックハウジングは、回転防止突起を有する。但し、ケーブルの外側導体に対して電気的且つ機械的に接続されるように設計された外側導体部は、設けられていない。
【０００５】
特許文献４は、外側導体部と、外側導体部の軸方向のボアに配置された絶縁部又は絶縁体と、絶縁部の軸方向のボアに配置された内側導体と、を有する電気プラグインコネクタを開示している。絶縁部に対する内側導体のための回転防止ロック機能や、外側導体部に対する絶縁部のための回転防止ロック機能も提供されている。外側導体部の内側には、絶縁部の挿入に伴って絶縁部の柔らかい材料内に突き刺さる突出部が配置されている。外側導体部及び絶縁部が配置されるハウジングは、設けられていない。
【０００６】
特許文献５は、内側導体と、外側導体と、これらの間に配置された誘電体と、を有する同軸ケーブル用のプラグインコネクタを開示している。プラグインコネクタは、コネクタハウジングの雄ねじが切られた後方端部を受け入れる雌ねじが切られたバックナットを有する。コネクタハウジングは、導電性の圧縮可能なリングを受け入れるための空洞を有する。リングは、コネクタハウジングとナットが１つに螺合されるのに伴って、同軸ケーブルの外側導体をナットの壁のスロープ形状の部位に対して加圧する。このリングの圧力印加機能は、一定の接触形成力を提供することによって同軸ケーブルの外側導体と壁のスロープ形状の部位の間に導電性接続が存在することを保証している。更には、リングは、コネクタハウジング及びナットに対する同軸ケーブルのための回転防止ロック機能をも提供している。コネクタの絶縁部のための回転防止ロック機能は、提供されていない。
【０００７】
特許文献６は、互いに同軸状に配置された複数の接点を有するケーブルコネクタプラグを開示しており、これらの接点のそれぞれのペアの間には、絶縁体が配置されている。これらの接点のうちの２つの接点は、個々の絶縁体に隣接するその内側表面上に、内部歯又は内部ねじ山形状からなる回転防止部材を有する。内部歯は、個々の絶縁体内に圧入される。この結果、プラグが適切な対応するコネクタに挿入され、且つ、回転された際に、これら２つの接点が最も内側の接点との関係において回転動作することが防止される。回転防止部材は、導体部の内側表面上に形成され、且つ、従って、外側導体部を通じて嵌合しない。更には、接点及び絶縁体がその内部に配置されるハウジングは、設けられていない。更には、接点は、いずれも、コネクタプラグ用の電磁スクリーンを形成することができるように設計されてはいない。
【先行技術文献】
【特許文献】
【０００８】
【特許文献１】米国特許第５，４８９，２２２号明細書
【特許文献２】米国特許第５，１４５，４１２号明細書
【特許文献３】米国特許第５，０１１，４２６号明細書
【特許文献４】米国特許第５，４５３，０２５号明細書
【特許文献５】米国特許第７，６３５，２８３Ｂ１号明細書
【特許文献６】米国特許出願公開第２００８／０１６０８３６Ａ１号明細書
【発明の概要】
【発明が解決しようとする課題】
【０００９】
本発明の目的は、上述の種類のプラグインコネクタを、組立及び信頼性の高い動作の点で改善することである。
【課題を解決するための手段】
【００１０】
本発明によれば、この目的は、請求項１に述べられる特徴を有する上述の種類のプラグインコネクタにより実現される。本発明の有利な実施形態については、その他の請求項に記述される。
【００１１】
本発明によれば、上述の種類のプラグインコネクタには、外側導体部及び絶縁部がその内部に配置されるハウジングが設けられ、回転動作しないようにするためにハウジングに接続されるとともに、絶縁部とハウジングとが互いに回転動作しないようにするために接続されるように、外側導体部を通じて、且つ絶縁部に嵌合する回転防止ロックが設けられている。
【００１２】
これは、絶縁部の回転防止ロック機能に関する限り、外側導体部がバイパスされているため、プラグインコネクタ内における絶縁部の回転防止ロック機能に関して、公差の連鎖が短縮されるという利点を有する。
【００１３】
外側導体部の外周に亘って嵌合するとともに、半径方向の内側に突出し、外側導体部を通じて絶縁部に嵌合するピンを有するリング形状、特にＣリング形状からなる回転防止ロックとすることにより、特に動作における信頼性が高く、且つ特に嵌合が容易である回転防止ロックが確立される。
【００１４】
外側導体部のアパーチャを通じてピンを嵌合させることで、外側導体部に対する、リングのいかなる回転動作も防止されるように設計されることにより、リングと外側導体部の間に、特に信頼性の高い機械的接続が確立される。
【００１５】
絶縁部の凹部にピンを嵌合させることで、リングに対する、絶縁部のいかなる回転動作も防止されるように設計されることにより、リングと内側導体部の間に、特に信頼性の高い機械的接続が確立される。
【００１６】
リングを弾性材料から形成することにより、ハウジングに対する回転防止ロックの容易な嵌合及び取外しが実現される。
【００１７】
リングが配置される周方向にループ状に延在する溝を外側導体部の外周面に形成することにより、ハウジングに対するリングの更なる軸方向のロック機能が実現される。
【００１８】
ハウジングとともに回転防止ロックを一片として形成することにより、ハウジングが嵌合したときの回転防止ロックの自動的な嵌合が実現される。
【００１９】
ケーブル、特にＲＦケーブル又はパワーケーブルの内側導体に対して電気的且つ機械的に接続されるように設計された少なくとも１つの内側導体部を設けることにより、１つ又は複数の内側導体を有するケーブル用のプラグインコネクタが容易に確立される。
【図面の簡単な説明】
【００２０】
【図１】本発明によるプラグインコネクタの好適な実施形態の長手方向の断面である。
【図２】Ｃリング形状の回転防止ロックの好適な実施形態の斜視図である。
【発明を実施するための形態】
【００２１】
以下、添付図面を参照し、本発明について詳細に説明する。
【００２２】
図１に示される本発明によるプラグインコネクタの好適な実施形態は、ハウジング１０と、ハウジング１０の内部に半径方向に配置された外側導体部１２と、外側導体部の内部に半径方向に配置された絶縁部１４と、を有する。ハウジング１０、外側導体部１２及び絶縁部１４は、相互に同軸状に配置される。このプラグインコネクタは、相補型コネクタ（不図示）に対する挿入による接続のための挿入端部１６と、電磁スクリーンを形成する外側導体及び少なくとも１つの内側導体を有するケーブル（不図示）に対する電気的且つ機械的な接続のためのケーブル端部１８と、を有する。外側導体部１２は、ケーブルの外側導体（不図示）に対して電気的且つ機械的に接続されるように設計されている。少なくとも１つの内側導体部（不図示）を受け入れるために、絶縁部１４は、１つ又は複数の内側導体部を外側導体部１２の内部にて既定の位置に保持し、この１つ又は複数の内側導体部を外側導体部１２から電気的に絶縁するように設計される。絶縁部１４は、例えば、誘電材料から製造されており、その幾何学的な寸法及び誘電材料は、プラグインコネクタが既定のインピーダンスを有するように選択される。この結果、本発明によるプラグインコネクタは、ＲＦ信号の伝送に使用することもできる。
【００２３】
ハウジング１０と外側導体部１２の間には、Ｃリング形状からなる回転防止ロック２０が配置され、このＣリング２０は、ハウジング１０の長手軸に対して垂直平面に実質的に平行に調整される。回転防止ロック２０は、円弧形状、又は、言い換えれば、１カ所に破断を有するリングである。回転防止ロック２０は、例えば、弾性材料から形成されており、従って、Ｃリング２０は、半径方向を内向きに又は外向きに曲がることが可能であり、また、弾性力が作用することで、その初期位置に自動的に復帰することができる。この結果、Ｃリング２０は、外側導体部１２の製造の後に、外側導体部１２の外側に嵌合させることができる。この目的のために、例えばＣリング２０を半径方向に拡張させ、例えばＣリング２０を受け入れるための溝２２が形成される外側導体部１２の外周面上の既定の地点に到達するまで、外側導体部１２に沿って軸方向に移動させる。この地点において、Ｃリング２０の応力を再度解放すれば、リング２０は、結果的に、外側導体部１２の外周面の溝２２の内部で、初期位置となる。回転防止ロック２０は、ハウジング１０の内部で回転動作しないようにするために絶縁部１４を固定するべく機能するが、これは、図２を参照して詳細に後述するように、回転防止ロック２０から半径方向の内側に突出するピン２４によって実現される。
【００２４】
図２は、ピン２４を有するＣリング形状の回転防止ロック２０を示している。ピン２４の領域において、Ｃリングは、ハウジング１０の内周面の対応した凹部に嵌合する直方体形の幅広部３２を有する。この結果、Ｃリング２０は、ハウジング１０と共に確実に回転するように、ハウジング１０に機械的に接続される。図１からもわかるように、ハウジング１０の内周面の凹部は、軸方向に延在する溝３０の形状からなり、この溝の周方向における幅は、Ｃリング２０の直方体形成部が溝に嵌合するが、Ｃリング２０上の直方体形成部が溝３０の内側壁に当接する結果として、Ｃリング２０がハウジング１０に対して、回転動作することを防止するように、選択される。
【００２５】
図１からもわかるように、ピン２４は、外側導体部１２の貫通開口部２６を通じて絶縁部１４の溝２８に嵌合しており、従って、Ｃリング２０は、回転動作しないようにするために、絶縁部１４に対して接続されている。これにより、絶縁部１４は、回転動作しないようにするためにハウジング１０に接続されることになり、外側導体部１２は、互いに回転動作しないようにするためのハウジング１０と絶縁部１４との接続の実現において、なんらの機能をも果たしていない。言い換えれば、外側導体部１２は、もはや、ハウジング１０における絶縁部１４の回転防止ロック機能のための公差の連鎖の一部ではない。
【００２６】
回転防止ロック２０は、絶縁部１４において保持される内側導体部のハウジング１０に対して既定の向きを保証している。この結果、本発明によるプラグインコネクタが相補型コネクタに挿入された際に、本発明によるプラグインコネクタの所与の内側導体部が、相補型コネクタの所与の望ましい内側導体部との電気的且つ機械的な接触を実現することが保証されている。言い換えれば、本発明によるプラグインコネクタ内における内側導体部の構成が相補型コネクタにおける内側導体部の構成に対応することになる。
【国際調査報告】
2013539154.tif 000005
2013539154.tif 000006
2013539154.tif 000007
2013539154.tif 000008
2013539154.tif 000009
2013539154.tif 000010